(57)【要約】      （修正有）【課題】通常の使用時におけるプラグの不用意な抜けを防止しつつ、使用後におけるプラグの引き抜きを容易にするコンセントを提供する。【解決手段】プラグ２の一対の雄型端子３が差し込まれる一対の挿入口４が設けられ、これらの挿入口内に前記プラグを弾性的に挟持して電気的接続をなす雌型端子が設けられたコンセント１であって、挿入口内に差し込まれたプラグを取り外す方向に移動させる押圧手段を備え、かつ、この押圧手段の操作部１５が、プラグが差し込まれる面に設けられている。【選択図】図１
0003183461.tif 000002
【実用新案登録請求の範囲】
【請求項１】
電気機器に接続されたプラグの一対の雄型端子が差し込まれる一対の挿入口が設けられ、これらの挿入口内に前記プラグを弾性的に挟持して電気的接続をなす雌型端子が設けられたコンセントであって、前記挿入口内に差し込まれた前記プラグを取り外す方向に移動させる押圧手段を備え、かつ、この押圧手段の操作部が、前記プラグが差し込まれる面に設けられていることを特徴とするコンセント。
【請求項２】
前記押圧手段が、前記雌型端子間に摺動可能に、かつ、前記挿入口が開口された面から突出して前記プラグに対向させられるプッシュロッドと、前記プラグが差し込まれた状態において、このプラグを避けた位置に摺動可能に設けられ、かつ、前記挿入口が開口された面から突出して設けられた操作ロッドと、この操作ロッドと前記プッシュロッドとの間に設けられ、前記操作ロッドの摺動動作を前記プッシュロッドの摺動動作に変換する動力伝達機構とによって構成されていることを特徴とする請求項１に記載のコンセント。
【請求項３】
前記動力伝達機構がリンク機構であることを特徴とする請求項２に記載のコンセント。
【考案の詳細な説明】
【技術分野】
【０００１】
本考案は、電気機器に接続されたプラグが差し込まれることにより、このプラグを介して前記電気機器に電力を供給するようにしたコンセントに関するものである。
【背景技術】
【０００２】
一般に、電気機器に駆動電力を供給するために、前記電気機器に、電源線を介してプラグを接続しておき、このプラグを、たとえば、建築物の壁等に設置されたコンセントに差し込んで、電気機器を電源に接続するようにしている。
【０００３】
ところで、このように接続されたプラグは、供給される電力が不用意に切断されることを防止するために、抜き取り方向へある程度の抵抗が与えられている。
【０００４】
また、このような電力供給の不用意な切断を確実に防止するために、特許文献１においては、コンセントにプラグを差し込んだ状態において、これらを積極的に固定することが提案されている。
【０００５】
この技術においては、コンセントとプラグとの固定を解除した後にプラグを抜き取るのであるが、その際に、前記プラグには、一般的なコンセントと同様にある程度の抵抗が与えられている。
【先行技術文献】
【特許文献】
【０００６】
【特許文献１】特開２００５−３０２６２３号公報
【考案の概要】
【考案が解決しようとする課題】
【０００７】
ところで、不用意な電力供給の切断を防止するために、前述したようにプラグの抜き取り方向への抵抗が設定されているのであるが、たとえば一般家庭においては、前記プラグが接続されるコンセントは、床面近くの低い位置に設置されていることが多く、前記プラグを引き抜く場合、屈んだ姿勢をとらなければならない。
【０００８】
このように屈んだ状態では力が入りにくく、引き抜き抵抗が与えられているプラグを引き抜くのに、不便を強いられている。
【０００９】
本考案は、前述した従来の技術において残されている問題点を解決するためになされたもので、通常の使用時におけるプラグの不用意な抜けを防止しつつ、使用後におけるプラグの引き抜きを容易にするコンセントを提供することを課題とする。
【課題を解決するための手段】
【００１０】
本考案の請求項１に記載のコンセントは、電気機器に接続されたプラグの一対の雄型端子が差し込まれる一対の挿入口が設けられ、これらの挿入口内に前記プラグを弾性的に挟持して電気的接続をなす雌型端子が設けられたコンセントであって、前記挿入口内に差し込まれた前記プラグを取り外す方向に移動させる押圧手段を備え、かつ、この押圧手段の操作部が、前記プラグが差し込まれる面に設けられていることを特徴としている。
【００１１】
このような構成とすることにより、前記操作部を操作すると、前記押圧手段によって前記プラグが取り外す方向へ移動させられる。
【００１２】
このような取り外し操作に際して、プラグをつまんで引っ張るという動作が不要となり、その取り外しが容易となる。
【００１３】
また、前述したようにプラグをつまむ必要がなくなることにより、立ったままで、たとえば、足を使って前記操作部を操作することも可能であり、無理な姿勢をとることなくプラグを抜き取ることができる。
【００１４】
本考案の請求項２に記載のコンセントは、請求項１に記載の前記押圧手段が、前記雌型端子間に摺動可能に、かつ、前記挿入口が開口された面から突出して前記プラグに対向させられるプッシュロッドと、前記プラグが差し込まれた状態において、このプラグを避けた位置に摺動可能に設けられ、かつ、前記挿入口が開口された面から突出して設けられた操作ロッドと、この操作ロッドと前記プッシュロッドとの間に設けられ、前記操作ロッドの摺動動作を前記プッシュロッドの摺動動作に変換する動力伝達機構とによって構成されていることを特徴としている。
【００１５】
このような構成とすることにより、前記操作ロッドを摺動させるといった簡便な操作によって、前記プラグを抜き取り方向に移動させることができる。
【００１６】
本考案の請求項３に記載のコンセントは、請求項２に記載の前記動力伝達機構がリンク機構であることを特徴としている。
【００１７】
このような構成とすることにより、前記動力伝達機構を簡素な部材で構成することができるので、コンセントの構造変更にかかるコストの高騰を抑制することができる。
【００１８】
また、前述したリンク機構のリンク長を調整することにより倍力作用を得ることができ、これによって、前記プラグの抜き取りのための操作力を軽減することができる。
【考案の効果】
【００１９】
このように、本考案によれば、通常の使用時におけるプラグの不用意な抜けを防止しつつ、使用後におけるプラグの引き抜きを容易にすることができる。
【図面の簡単な説明】
【００２０】
【図１】本考案の一実施形態を示す外観斜視図である。
【図２】本考案の一実施形態を示すもので、要部の縦断面図である。
【図３】本考案の一実施形態を示すもので、要部の縦断面図である。
【図４】本考案の一実施形態を示す外観斜視図である。
【図５】本考案の一実施形態を示す外観斜視図である。
【図６】本考案の他の実施形態を示す外観斜視図である。
【図７】本考案の他の実施形態を示すもので、要部の縦断面図である。
【図８】本考案の他の実施形態の変形例を示す外観斜視図である。
【考案を実施するための形態】
【００２１】
以下、本考案の一実施形態を図１ないし図５を参照して説明する。
図１において符号１は、本実施形態に係わるコンセントを示す。
このコンセント１は、電気機器に接続されたプラグ２の一対の雄型端子３が差し込まれる一対の挿入口４が設けられ、これらの挿入口４内に前記プラグ２を弾性的に挟持して電気的接続をなす雌型端子（図示略）が設けられ、前記挿入口４内に差し込まれた前記プラグ２を取り外す方向に移動させる押圧手段５を備え、かつ、この押圧手段５の操作部６が、前記プラグ２が差し込まれる面に設けられた構成となっている。
【００２２】
詳述すれば、前記押圧手段５は、本実施形態においては、前記雌型端子間に摺動可能に、かつ、前記挿入口４が開口された面から突出して前記プラグ２に対向させられるプッシュロッド７と、前記プラグ２が差し込まれた状態において、このプラグ２を避けた位置に摺動可能に設けられ、かつ、前記挿入口４が開口された面から突出して設けられた操作ロッド８と、この操作ロッド８と前記プッシュロッド７との間に設けられ、前記操作ロッド８の摺動動作を前記プッシュロッド７の摺動動作に変換する動力伝達機構９（図２参照）とによって構成されている。
【００２３】
前記動力伝達機構９は、本実施形態においては、図２に示すように、リンク機構で構成されており、前記コンセント１の、前記挿入口４の開口部と反対側の面に設けられたブラケット１０と、このブラケット１０に枢軸１１を介して回動可能に取り付けられ、かつ、その各端部に、前記プッシュロッド７と前記操作ロッド８とがそれぞれ回動自在に連結されたリンクアーム１２とによって構成されている。
【００２４】
そして、本実施形態においては、前記枢軸１１は、前記リンクアーム１２の長さ方向の中間部を支持するようになされている。
【００２５】
さらに、前記リンクアーム１２の各端部には、その長さ方向に沿った長穴１２ａ・１２ｂが形成され、これらの長穴１２ａ・１２ｂに、前記各プッシュロッド７および操作ロッド８のそれぞれの端部に取り付けられた連結ピン１３・１４が摺動可能かつ回動可能に係合させられている。
【００２６】
さらに、前記操作ロッド８の、前記プラグ２が差し込まれる側の端部には、矩形状の操作プレート１５が一体に設けられている。
【００２７】
このように構成された本実施形態のコンセント１にあっては、図１に示すように、その挿入口４に前記プラグ２の雄型端子３を位置合わせした後に、これらの雄型端子３のそれぞれを前記挿入口４に押し込むことによって、図４に示すように、前記プラグ２をコンセント１へ接続することができる。
【００２８】
このような接続操作に際して、前記プッシュロッド７が、差し込まれる前記プラグ２によって押されて前記コンセント１内に押し込まれるとともに、前記動力伝達機構９を介して前記操作ロッド８が押され、図２および図４に示すように、前記コンセント１の表面から突出させられる。
【００２９】
そして、前記プラグ２を取り外す場合には、前記操作プレート１５を前記コンセント１へ向けて押圧することにより、図３に示すように、前記操作ロッド８をコンセント１内に押し込む。
【００３０】
このような前記操作ロッド８の移動に伴い、前記動力伝達機構９により、前記プッシュロッド７が、図３および図５に示すように、前記コンセント１からと突出させられる。
【００３１】
これに伴って、差し込まれていた前記プラグ２が、前記プッシュロッド７によって取り外し方向に移動させられる。
【００３２】
ここで、前記プラグ２の雄型端子３と前記コンセント１の雌型端子との摩擦抵抗は、前記プラグ２がある程度引き抜かれた時点で急激に低下することから、その位置まで前記プラグ２を移動させることで弱い力で引き抜くことができる。
【００３３】
もちろん、前記動力伝達機構９のリンク構造を調整して、前記プッシュロッド７や前記操作ロッド８のストロークを長くすることによって、前記プラグ２を完全に押し出すようにすることもできる。
【００３４】
また、前記リンクアーム１２を支持する枢軸１１の位置を、前記プッシュロッド７側へずらすことによって、このプッシュロッド７に作用する力、すなわち、前記プラグ２の押し出し力を大きくすることができる。
【００３５】
また、前述した操作プレート１５の操作は、何等かの器具を用いて、あるいは、足を用いて操作することができ、したがって、立ったままでの前記プラグ２の抜き取りが可能となる。
【００３６】
この結果、前記プラグ２の抜き取りのために屈む必要がなく、その作業が極めて容易である。
【００３７】
図６および図７は本考案の他の実施形態を示すもので、独立して用いられるコンセントとしたものである。
すなわち、符号１０１で示す本実施形態のコンセントは、長方形状の基体１０２に、二組の雌型端子を備えた挿入口１０４を形成し、各組の挿入口１０４に対応した位置に、前述した実施形態と同様のプッシュロッド７、操作ロッド８、動力伝達機構９、および、操作プレート１５からなる押圧手段１０５を装着し、さらに、前記挿入口１０４と反対側の面に、これらの挿入口１０４内に装着されている雌型端子に電気的に接続された雄型端子１０３を、突出状態で設けた構成としたものである。
【００３８】
このように構成された本実施形態のコンセント１０１は、図６に示すように、壁Ｗに埋め込まれた既設のコンセントＣに装着することにより、あるいは、テーブルタップ等に装着することによってアタッチメントとして使用される。
【００３９】
したがって、必要とする箇所に本実施形態のコンセント１０１を設置することができ、既設のコンセントＣに加工を加えることなく、前記プラグ２の抜き取り操作を簡便なものとすることができる。
【００４０】
一方、図６においては、前記コンセント１０１を２個口として示したが、図８に示すように１個口とすることも可能で、プラグ装着数は任意に設定することができる。
【符号の説明】
【００４１】
１  コンセント
２  プラグ
３  雄型端子
４  挿入口
５  押圧手段
６  操作部
７  プッシュロッド
８  操作ロッド
９  動力伝達機構
１０  ブラケット
１１  枢軸
１２  リンクアーム
１２ａ  長穴
１２ｂ  長穴
１３  連結ピン
１４  連結ピン
１５  操作プレート
１０１  コンセント
１０２  基体
１０３  雄型端子
１０４  挿入口
１０５  押圧手段
Ｃ  （既設の）コンセント
Ｗ  壁
【図１】
0003183461.tif 000003
【図２】
0003183461.tif 000004
【図３】
0003183461.tif 000005
【図４】
0003183461.tif 000006
【図５】
0003183461.tif 000007
【図６】
0003183461.tif 000008
【図７】
0003183461.tif 000009
【図８】
0003183461.tif 000010